(57)【要約】      （修正有）【課題】おもりブロックの揺れ動きを防止する双柱型エレベーターを提供する。【解決手段】おもりブロック３１と２本の立柱２１との間には調整機構を設置し、調整機構は２本の立柱２１の相対面に、複数の接合部を備える支持フレーム３２を固定して設置し、おもりブロック３１は各支持フレーム３２の側面に相対して相互に対応する２個のスライド台３４、及び定位部品３５を備えるスライドレール３３を設置し、スライドレール３３の定位部品３５を、支持フレーム３２の複数の接合部の内の一つに螺合し、これによりおもりブロック３１の配置位置を調整し、こうしておもりブロック３１は立柱２１の外部に位置し、立柱２１の体積を縮小し、これによりコストを節減し、駆動機構の牽引スライドホイール２５の位置に応じて、おもりブロック３１の配置位置を調整可能で、使用機能の実用的利益を大幅に高めることができる。【選択図】図２
0003161159.tif 000002
【実用新案登録請求の範囲】
【請求項１】
双柱型エレベーターは、かご、昇降装置、おもり装置、導引装置を備え、
前記かごは、少なくとも１個の開閉作動可能なかご側ドアを設置し、
前記昇降装置は、前記かごの外部に、少なくとも２本の立柱を設置し、前記立柱上には、駆動機構を設置し、前記かごを連動して昇降移動を行わせ、
前記おもり装置は、前記昇降装置の２本の立柱の間に、おもりブロックを設置し、前記おもりブロックは、前記昇降装置の駆動機構により駆動させ、前記かごと反対方向への移動を行い、前記おもりブロックと前記２本の立柱との間には、調整機構を設置し、
前記調整機構は、前記２本の立柱の相対面に、支持フレームをそれぞれ固定して設置し、前記各支持フレーム上には、接合部を設置し、
前記おもりブロックの前記各支持フレームに相対する側面に、相互に対応する２個のスライドレール及びスライド台をそれぞれ設置し、前記スライドレールは、前記支持フレームの接合部位置に相対して、定位部品を設置し、前記定位部品は、前記接合部に螺合され、こうして前記スライドレールは、前記支持フレーム上に組立てられ、前記スライド台は、前記おもりブロック上に固定して設置され、 
前記導引装置は、前記２本の立柱上に、ガイドレールを設置し、前記かごの前記各ガイドレールに相対する位置に、相互にスライド状に設置するガイドスライド器を設置することを特徴とする双柱型エレベーター。
【請求項２】
前記かごは、横方向に移動し開閉可能なかご側ドアを前面に設置することを特徴とする請求項１に記載の双柱型エレベーター。
【請求項３】
前記昇降装置の駆動機構は、駆動源の出力軸上に、牽引スライドホイールを設置し、
前記牽引スライドホイールには、ケーブルが巻きつき、前記ケーブルの両端は、前記かご及び前記おもりブロックにそれぞれ連結することを特徴とする請求項１に記載の双柱型エレベーター。
【請求項４】
前記昇降装置の駆動源は、モーター及び減速機を備え、
前記減速機の出力軸上には、牽引スライドホイールを設置することを特徴とする請求項３に記載の双柱型エレベーター。
【請求項５】
前記昇降装置は、２本の立柱上に、サポートフレームを設置し、これにより駆動機構を設置することを特徴とする請求項３に記載の双柱型エレベーター。
【請求項６】
前記おもり装置の支持フレームの接合部は、はネジ孔で、前記支持フレームには、複数のネジ孔を開設し、
前記スライドレール上には、少なくとも１個のボルトである定位部品を設置し、前記定位部品は、前記支持フレームのネジ孔に螺合することを特徴とする請求項１に記載の双柱型エレベーター。
【請求項７】
前記おもり装置のスライドレールは、Ｔ型を呈することを特徴とする請求項６に記載の双柱型エレベーター。
【請求項８】
前記おもり装置は、相対する２個の支持フレーム間に、少なくとも１個の連結棒を固定することを特徴とする請求項６に記載の双柱型エレベーター。
【請求項９】
前記導引装置のガイドレールは、Ｔ型を呈し、前記かごの側辺において、連結フレームによりガイドスライド器を設置することを特徴とする請求項１に記載の双柱型エレベーター。
【考案の詳細な説明】
【技術分野】
【０００１】
本考案は双柱型エレベーターに関し、特に立柱の体積を縮小可能で、これによりコストを節減し、昇降装置の牽引スライドホイール位置に応じて、おもりブロックの配置位置を調整可能で、これにより使用機能を大幅に向上させることができる双柱型エレベーターに関する。
【背景技術】
【０００２】
高層階の住宅、或いは工場の多くには、人或いは貨物を載せて運ぶために、エレベーターが設置されている。
現在普通に見られるケーブル牽引式エレベーターを例とすると、エレベーターは、建築物のエレベーター昇降路内に、人或いは貨物を積載可能なかごを設置し、エレベーター昇降路の上方に、機械室を配置する。
機械室には、複数の縦、横方向のサポート梁を設置し、これにより牽引スライドホイールを備えるモーター本体、減速機、偏向ホイール、及びコントロールボックス等設備を支えて設置する。
モーター本体の駆動軸は、牽引スライドホイールに設置し、牽引スライドホイール上には、ケーブルが巻きつく。
ケーブルの一端は、かごの頂点面に固定して設置し、反対端には、おもりブロックを連結する。
エレベーターの使用時には、モーター本体を制御し、牽引スライドホイールの回転動を駆動する。
これにより、牽引スライドホイールは、ケーブルの作動を連動し、ケーブルの一端は、かごを連動してエレベーター昇降路内において昇降移動を行わせ、こうしてケーブルの反対端は、おもりブロックを連動し、反対方向への移動を行う。
【０００３】
しかし、おもりブロックは、かごの外部に掛けて設置し、しかもおもりブロックの周囲には一切の位置限定構造の設計がない。
このため、降下移動作動の過程において、おもりブロックには、揺れ動きの状況が発生し易い。
おもりブロックが揺れ動くと、ケーブルの損傷、及びかごのバランスに影響を及ぼすという欠点を生じる。
このため、エレベーターおもりブロックの位置限定構造が設計された。
それは、かごの外側に、中空状の立柱を設置し、これにおもりブロックを入れるものである。
これにより、おもりブロックは昇降移動作動の過程において、立柱の内周面により位置が限定され、こうしておもりブロックの任意の揺れ動きを防止し、スムーズに移動させることができる。
【０００４】
上記した設計は、おもりブロックの揺れ動きを防止することができるが、おもりブロックの体積は大きく、しかも立柱中に入れるため、おもりブロックを収容する立柱はかなり大きな体積を備えている必要がある。
これは、立柱の体積を増大させ、しかもその製造を困難にするため、これによりコストが非常にかさむ。
【０００５】
さらに、エレベーターの型式が異なれば、それが応用する牽引スライドホイールのサイズ及び配置位置にも差異があるため、牽引スライドホイールのケーブルとおもりブロックにも、横方向位置の差がある。
これにより、牽引スライドホイールのケーブルは、垂直に連結しておもりブロックの昇降移動を駆動するため、牽引スライドホイールのサイズ及び位置に応じて、おもりブロックの配置位置を調整しなければならない。
しかし、おもりブロックは、立柱内に限定されているため、横方向の移動を行い、位置位置を調整することはできない。
このため、ケーブルは傾斜した状態でおもりブロックを連結しなければならず、これによりおもりブロックが立柱内で昇降移動を行う時には、ケーブルが立柱に摩擦され損傷を招き易く、及びおもりブロックの移動がスムーズにいかないという欠点を引き起こす。
本考案は、従来のエレベーターの上記した欠点に鑑みてなされたものである。
【考案の概要】
【考案が解決しようとする課題】
【０００６】
本考案が解決しようとする課題は、おもりブロックの揺れ動きを防止し、効果的にコストを節減し、おもりブロックの配置位置を調整可能な双柱型エレベーターを提供することである。
【課題を解決するための手段】
【０００７】
上記課題を解決するため、本考案は下記の双柱型エレベーターを提供する。
双柱型エレベーターは、かご、昇降装置、及びおもり装置を備え、
該昇降装置は、該かごの外部に、２本の立柱を設置し、該２本の立柱上には、駆動機構を設置し、これにより該かごの昇降移動を駆動し、
該おもり装置は、該２本の立柱間におもりブロックを設置し、該昇降装置の駆動機構により、該おもりブロックを駆動して該かごと反対方向への移動を行わせ、
該おもりブロックと該２本の立柱との間には、調整機構を設置し、
これにより該おもりブロックは、スライド台を利用して、スライドレールに沿って、スムーズに昇降移動でき、任意の揺れ動きを防止し、ケーブルの損傷を防止し、及び該かご作動バランスを確保することができ、
該おもり装置のおもりブロックは、該スライド台を利用して、該スライドレールに沿って、スムーズに昇降移動し、該おもりブロックは、該立柱の外部に位置するため、該昇降装置の立柱は、該おもりブロックの体積に制限されず、こうして該立柱の体積を縮小可能なため、製造及び配置に便利で、コスト節減を達成することができ、
該昇降装置の駆動機構は、本体、ケーブルを備える牽引スライドホイール等部品を備え、
該おもり装置の調整機構は、該２本の立柱の相対面に、複数の接合部を備える支持フレームを固定して設置し、該おもりブロックは、各支持フレームの側面に相対して相互に対応する２個のスライド台、及び定位部品を備えるスライドレールを設置し、
該牽引スライドホイールのサイズ及び位置に応じて、該支持フレームの複数の接合部の内の一つに、該スライドレールの定位部を螺合し、こうして該おもりブロックの配置位置を調整し、該牽引スライドホイールのケーブルは、該おもりブロックを垂直に連結可能となり、部品の損傷を防止し、及びおもりブロックのスムーズな移動を達成することができ、
双柱型エレベーターは、該２本の立柱と該かごとの間に、導引装置を設置し、
該導引装置は、該２本の立柱と該かごとの間に、相互に対応するガイドレール及びガイドスライド器を設置し、これにより該かごは、両側のガイドスライド器により、該ガイドレールに沿ってスライド移動し、スムーズな昇降移動を補助し、使用機能の実用的利益を大幅に高めることができる。
【考案の効果】
【０００８】
本考案双柱型エレベーターは、立柱の体積を縮小可能で、これによりコストを節減し、おもりブロックをスムーズに昇降移動させ、おもりブロックの配置位置を調整することができるため、使用上の機能を効果的に高めることができる。
【図面の簡単な説明】
【０００９】
【図１】本考案の前視図である。
【図２】本考案の俯瞰図である。
【図３】図２の局部拡大模式図である。
【図４】本考案の局部側視図である。
【図５】本考案エレベーター下降時の使用模式図（１）である。
【図６】本考案エレベーター下降時の使用模式図（２)である。
【図７】本考案エレベーター上昇時の使用模式図（３)である。
【図８】本考案エレベーター上昇時の使用模式図（４)である。
【図９】本考案調整機構の使用模式図である。
【考案を実施するための形態】
【００１０】
以下に図面を参照しながら本考案を実施するための最良の形態について詳細に説明する。
【実施例】
【００１１】
図１、２、３、４に示すように、エレベーターは、建築物のエレベーター昇降路内に配置し、かご１０、昇降装置２０、おもり装置３０及び導引装置４０を備える。
【００１２】
かご１０は、一枚のかご側ドア或いは二枚のかご側ドアを備える。
本実施例のかご１０は、横方向に移動して開閉可能なかご側ドア１１を前面に設置し、これにより人員或いは物品はかご１０に出入りすることができる。
【００１３】
昇降装置２０は、かご１０の外部に、２本の直立式立柱２１を設置する。
２本の立柱２１上には、サポートフレーム２２を設置し、これに駆動機構を設置する。
駆動機構は、サポートフレーム２２上に、駆動源を設置する。
駆動源は、モーター２３及び減速機２４を備え、減速機２４の出力軸上には、牽引スライドホイール２５を設置する。
牽引スライドホイール２５には、ケーブル２６が巻きつき、これによりケーブル２６の一端は、かご１０の頂点面に連結する。
こうして、モーター２３は、減速機２４及び牽引スライドホイール２５を通して、ケーブル２６はかご１０を連動し、昇降移動を行わせる。
【００１４】
おもり装置３０は、昇降装置２０の２本の立柱２１の間に、おもりブロック３１を設置する。
おもりブロック３１の頂点面は、昇降装置２０のケーブル２６に連結し、ケーブル２６によりおもりブロック３１を連動して、かご１０と反対方向の昇降移動を行わせる。
おもり装置３０は、おもりブロック３１と２本の立柱２１との間に、調整機構を設置する。
調整機構は、２本の立柱２１の相対面に、複数の支持フレーム３２をそれぞれ固定して設置し、各支持フレーム３２上には、接合部を設置する。
【００１５】
接合部は、長孔或いはネジ孔である。
接合部が長孔である時には、支持フレーム３２上に、少なくとも１個の長孔を開設し、接合部がネジ孔である時には、支持フレーム３２上に、複数のネジ孔を開設する。
本実施例において、接合部は、ネジ孔３２１で、支持フレーム３２上には、複数のネジ孔３２１を開設し、おもりブロック３１は、各支持フレーム３２の側面に相対して、相互に対応する２個のスライドレール３３及びスライド台３４をそれぞれ設置する。
【００１６】
スライドレール３３には、支持フレーム３２のネジ孔３２１位置に相対して、少なくとも１個のボルトである定位部品３５を設置する。
これにより、定位部品３５は支持フレーム３２の１個のネジ孔３２１中に螺合され、スライドレール３３を、支持フレーム３２上に組立てて定位する。
相対する２個の支持フレーム３２間には、少なくとも１個の連結棒３６を固定し、これにより支持フレーム３２の組み立て強度を増強する。
スライド台３４は、おもりブロック３１上に固定して設置し、スライドレール３３上にスライド可能状態で設置し、こうしておもりブロック３１の昇降移動を補助する。
しかも、これによりおもりブロック３１は、スライドレール３３に従い、横方向の線性移動を行い、導引装置４０は、昇降装置２０の各立柱２１の別の面に、Ｔ型を呈するガイドレール４１を固定して設置する。
かご１０の両側には、連結フレーム４２によりそれぞれガイドスライド器４３を設置し、各ガイドスライド器４３は、ガイドレール４１上にスライド可能状態で設置し、かご１０のスムーズな昇降移動を補助する。
【００１７】
図５、６に示すように、エレベーターを使用して下の階に下りる時、昇降装置２０は、モーター２３を制御し、減速機２４の出力軸を経由して、牽引スライドホイール２５の回転を駆動する。
これにより、牽引スライドホイール２５は、ケーブル２６の回転動を連動し、ケーブル２６の一端は、かご１０を連動して降下移動を行わせる。
かご１０の降下移動作動時には、ガイドスライド器４３は、立柱２１上のガイドレール４１に沿ってスライド移動し、かご１０のスムーズな移動を補助し、揺れ動きを防止する。
昇降装置２０のケーブル２６反対端は、おもりブロック３１上に固定して設置するため、かご１０が下方へと移動すると、ケーブル２６反対端のおもりブロック３１は反対方向へと上昇移動し、かご１０の重量のバランスをとる。
【００１８】
おもりブロック３１が上昇移動作動を行うと、各スライド台３４を利用して、相互に対応するスライドレール３３にそれぞれ沿ってスライド移動を行う。
スライド台３４は、スライドレール３３上に位置が限定され、垂直の線性スライド移動を行うため、おもりブロック３１の任意の偏移と揺れ動きを防止可能で、こうしておもりブロック３１は、スムーズに上昇移動を行い、ケーブル２６等関連部品の使用寿命を延長し、かご１０の作動のバランスを確保することができる。
【００１９】
図７、８に示すように、エレベーターを使用して上の階に上がる時には、昇降装置２０は、モーター２３を制御し、減速機２４の出力軸を経由して、牽引スライドホイール２５の反対方向への回転を駆動する。
これにより、牽引スライドホイール２５は、ケーブル２６を連動して、反対方向へ回転動させ、ケーブル２６の一端はかご１０を連動し上昇移動を行わせる。
【００２０】
かご１０が上昇移動を行うと、ガイドスライド器４３を利用して、立柱２１上のガイドレール４１に沿ってスライド移動を行い、こうしてかご１０のスムーズな移動を補助する。
この時、ケーブル２６の反対端は、おもりブロック３１を連動し、反対方下方へと降下移動させ、かご１０の重量のバランスをとる。
おもりブロック３１が、降下移動を行うと、各スライド台３４を利用して、相互に対応するスライドレール３３にそれぞれ沿ってスライド移動を行い、おもりブロック３１の任意の偏移と揺れ動きを防止し、スムーズに降下移動させる。
【００２１】
図１、９に示すように、建築物の階層数の差異により、応用するエレベーターの型式も異なる。
エレベーターの型式が異なれば、牽引スライドホイールのサイズ及び配置位置も異なる。
例えば、牽引スライドホイールを、立柱の頂点面或いは側辺に配置し、またエレベーター規格に応じて、異なるサイズの牽引スライドホイールを採用する。
【００２２】
本実施例においては、昇降装置２０は異なるサイズの牽引スライドホイール２５Ａを応用し、おもりブロック３１の配置位置を調整する必要がある時には、スライドレール３３上の定位部品３５を回して外し、スライドレール３３を支持フレーム３２から離脱させる。
続いて、牽引スライドホイール２５Ａの位置に応じて、必要な配置位置まで、スライドレール３３に横方向の線性移動を行わせる。
さらに、定位部品３５を、支持フレーム３２のネジ孔３２１中に螺合し、これによりスライドレール３３を固定する。
こうして、スライドレール３３は、スライド台３４の伝動を通して、おもりブロック３１を連動し、同期に横方向の線性移動を行わせ、おもりブロック３１の配置位置を調整することができる。
【００２３】
よって、おもりブロック３１は、異なるサイズの牽引スライドホイール２５Ａに応じて配置位置を調整することで、ケーブル２６のおもりブロック３１連結が傾斜することを回避可能である。
こうして、牽引スライドホイール２５Ａのケーブル２６は、おもりブロック３１を垂直に連結し、おもりブロック３１をスムーズに牽引して昇降移動を行わせることができ、部品の損傷を防止し、及びおもりブロックをスムーズに移動させる機能を達成することができる。
【００２４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２５】
本考案は実用新案の要件である新規性を備え、従来の同類製品に比べ十分な進歩を有し、実用性が高く、社会のニーズに合致しており、産業上の利用価値は非常に大きい。
【符号の説明】
【００２６】
１０  かご
１１  かご側ドア
２０  昇降装置
２１  立柱
２２  サポートフレーム
２３  モーター
２４  減速機
２５、２５Ａ  牽引スライドホイール
２６  ケーブル
３０  おもり装置
３１  おもりブロック
３２  支持フレーム
３２１  ネジ孔
３３  スライドレール
３４  スライド台
３５  定位部品
３６  連結棒
４０  導引装置
４１  ガイドレール
４２  連結フレーム
４３  ガイドスライド器
【図１】
0003161159.tif 000003
【図２】
0003161159.tif 000004
【図３】
0003161159.tif 000005
【図４】
0003161159.tif 000006
【図５】
0003161159.tif 000007
【図６】
0003161159.tif 000008
【図７】
0003161159.tif 000009
【図８】
0003161159.tif 000010
【図９】
0003161159.tif 000011